(57)【要約】【課題】  ユーザの作業負担を増大させることなく、コンテンツの視認性を向上させることができる情報表示端末を提供する。【解決手段】  ユーザ操作に基づいて、２以上の文字を含むコンテンツ２を指定するコンテンツ指定部１１１と、表示倍率記憶部１１３が保持する表示倍率に基づいて、コンテンツ指定部１１１により指定されたコンテンツ２を画面表示するコンテンツ表示部１１２と、ユーザ操作に基づいて、表示倍率を変更する表示倍率変更部１１４と、変更後の表示倍率に基づいて、２以上の文字の表示サイズを算出し、算出した２以上の表示サイズに基づいて、文字表示のための基準表示サイズを求める基準表示サイズ算出部１１５と、基準表示サイズを保持する基準表示サイズ記憶部１１６と、コンテンツ指定部１１１により新たにコンテンツ２が指定された場合に、基準表示サイズに基づいて、表示倍率を変更する表示倍率自動調整部１１７により構成される。【選択図】  図３
2015114935.tif 000002
【特許請求の範囲】
【請求項１】
ユーザ操作に基づいて、２以上の文字を含むコンテンツを指定するコンテンツ指定手段と、
表示倍率を保持する表示倍率記憶手段と、
上記表示倍率に基づいて、上記コンテンツ指定手段により指定された上記コンテンツを画面表示するコンテンツ表示手段と、
ユーザ操作に基づいて、上記表示倍率を変更する表示倍率変更手段と、
変更後の上記表示倍率に基づいて、２以上の上記文字の表示サイズを算出し、算出した２以上の上記表示サイズに基づいて、文字表示のための基準表示サイズを求める基準表示サイズ算出手段と、
上記基準表示サイズを保持する基準表示サイズ記憶手段と、
上記コンテンツ指定手段により新たにコンテンツが指定された場合に、上記基準表示サイズに基づいて、上記表示倍率を変更する表示倍率自動調整手段とを備えたことを特徴とする情報表示端末。
【請求項２】
上記表示倍率自動調整手段は、上記コンテンツ指定手段により新たに指定されたコンテンツについて求められる基準表示サイズが、上記基準表示サイズ記憶手段に保持されている基準表示サイズと一致するように、上記表示倍率を指定することを特徴とする請求項１に記載の情報表示端末。
【請求項３】
上記コンテンツには、上記文字ごとに文字サイズを指定する文字サイズ情報が含まれ、
上記基準表示サイズ算出手段は、上記文字サイズ及び上記表示倍率に基づいて、２以上の表示サイズを算出し、算出した上記表示サイズの平均値を上記基準表示サイズとして求めることを特徴とする請求項１又は２に記載の情報表示端末。
【請求項４】
上記表示倍率の変更時の上記コンテンツと、上記コンテンツ指定手段により新たに指定されるコンテンツとは、同一のアプリケーションプログラムにより表示される異なるコンテンツであることを特徴とする請求項１〜３のいずれかに記載の情報表示端末。
【請求項５】
上記表示倍率の変更時の上記コンテンツと、上記コンテンツ指定手段により新たに指定されるコンテンツとは、異なるアプリケーションプログラムにより表示される異なるコンテンツであることを特徴とする請求項１〜３のいずれかに記載の情報表示端末。
【発明の詳細な説明】
【技術分野】
【０００１】
本発明は、情報表示端末に係り、さらに詳しくは、２以上の文字を含むコンテンツを画面表示する情報表示端末の改良に関する。
【背景技術】
【０００２】
携帯電話機は、画面の大きさが限られていることから、ウェブサイトなどから取得したコンテンツを画面表示した際に、文字の表示サイズが小さすぎ、或いは、大きすぎてコンテンツの内容を識別しづらい場合がある。通常、所定の操作を行ってコンテンツの表示倍率を変更すれば、文字の表示サイズを調整することができる。しかしながら、あるコンテンツの表示倍率を変更した後、コンテンツを新たに画面表示すれば、当該コンテンツには予め定められた表示倍率が適用されてしまう。このため、従来の携帯電話機では、コンテンツを新たに画面表示するごとに、表示倍率を調整しなければならず、その調整作業が極めて煩雑であるという問題があった。
【０００３】
そこで、表示サイズの調整を自動化することにより、ユーザの負担を軽減する技術が提案されている（例えば、特許文献１〜３）。特許文献１には、共有画面から閲覧者までの距離に応じて、表示オブジェクトのサイズを調整する技術が開示されている。また、特許文献２には、タッチパネルを押下した際の押下面積に応じて、文字の表示サイズを調整する技術が開示されている。しかし、特許文献１及び２は、コンテンツを新たに画面表示するごとに表示倍率を調整しなければならないという上記技術課題を解決できるものではない。
【０００４】
特許文献３には、画像領域内に含まれる文字を認識するとともに、認識した文字の大きさを判別し、文字の大きさが所定の大きさとなるように表示サイズを調整する技術が開示されている。この特許文献３は、認識した文字の表示サイズのみを調整し、画像領域内に含まれる画像の表示サイズを不変とするものであることから、表示倍率を調整することによって文字の表示サイズを調整するものではない。このため、文字の表示サイズを調整すれば、画像全体のレイアウトが崩れ、文字と図形とが重なってしまうという問題がある。
【先行技術文献】
【特許文献】
【０００５】
【特許文献１】特開２０１２−２０３４８５号公報
【特許文献２】特開２０１１−１２３５７５号公報
【特許文献３】特開２０１０−１４０１９９号公報
【発明の概要】
【発明が解決しようとする課題】
【０００６】
本発明は、上記事情に鑑みてなされたものであり、ユーザの作業負担を増大させることなく、コンテンツの視認性を向上させることができる情報表示端末を提供することを目的とする。
【課題を解決するための手段】
【０００７】
本発明による情報表示端末は、ユーザ操作に基づいて、２以上の文字を含むコンテンツを指定するコンテンツ指定手段と、表示倍率を保持する表示倍率記憶手段と、上記表示倍率に基づいて、上記コンテンツ指定手段により指定された上記コンテンツを画面表示するコンテンツ画面表示手段と、ユーザ操作に基づいて、上記表示倍率を変更する表示倍率変更手段と、変更後の上記表示倍率に基づいて、２以上の上記文字の表示サイズを算出し、算出した２以上の上記表示サイズに基づいて、文字表示のための基準表示サイズを求める基準表示サイズ算出手段と、上記基準表示サイズを保持する基準表示サイズ記憶手段と、上記コンテンツ指定手段により新たにコンテンツが指定された場合に、上記基準表示サイズに基づいて、上記表示倍率を調整する表示倍率自動調整手段とを備えて構成される。
【０００８】
この情報表示端末では、表示倍率の変更後、コンテンツを新たに表示する場合に、表示倍率が基準表示サイズに応じて自動調整される。このため、新たに表示されるコンテンツについて、文字の表示サイズをユーザが表示倍率を指定したコンテンツに合わせることができる。
【発明の効果】
【０００９】
本発明によれば、表示倍率が基準表示サイズに応じて自動調整され、新たに表示されるコンテンツについて、文字の表示サイズをユーザが表示倍率を指定したコンテンツに合わせられるので、ユーザの作業負担を増大させることなく、コンテンツの視認性を向上させることができる情報表示端末を提供することができる。
【図面の簡単な説明】
【００１０】
【図１】本発明の実施の形態による情報表示端末１の一構成例を示した斜視図である。
【図２】図１の情報表示端末１内の機能構成の一例を示したブロック図である。
【図３】図２の主制御部１００の構成例を示したブロック図である。
【図４】従来の携帯電話機がコンテンツ２を画面表示する場合の動作を比較例として示した図である。
【図５】図２の情報表示端末１がコンテンツ２を画面表示する場合の動作の一例を示した図である。
【図６】図２の情報表示端末１におけるコンテンツ表示時の動作の他の一例を示した図である。
【図７】図２の情報表示端末１におけるコンテンツ表示時の動作の一例を示したフローチャートである。
【発明を実施するための形態】
【００１１】
＜情報表示端末１＞
図１は、本発明の実施の形態による情報表示端末１の一構成例を示した斜視図である。この情報表示端末１は、ユーザが選択した各種のコンテンツを画面表示することができる端末装置である。コンテンツには、ウェブコンテンツ、メニューコンテンツ、メールコンテンツなどがある。ウェブコンテンツは、ウェブサイトの管理者が提供するコンテンツであり、ブラウザによって画面表示される。
【００１２】
メニューコンテンツは、動作パラメータを指定するための設定項目、アプリケーションプログラムを選択するための選択項目などの２以上のメニュー項目からなり、端末固有の制御プログラムによって画面表示される。メールコンテンツは、電子メールのメール本文、ヘッダ情報、電子メールの送受信履歴からなり、メールソフトによって画面表示される。
【００１３】
例えば、情報表示端末１は、移動体電話回線網を介して音声通信を行う電話機能を有する携帯電話機であり、薄型筐体１０、受話用のレシーバ１１、タッチパネル１２、送話用のマイクロホン１３及び操作キー１４ａ〜１４ｃを備えている。薄型筐体１０は、薄型の直方体形状からなり、一方の主面が前面である。この薄型筐体１０は、端末操作者から見て、上下方向を長手方向とする縦長形状からなり、レシーバ１１、タッチパネル１２、マイクロホン１３及び操作キー１４ａ〜１４ｃは、薄型筐体１０の前面に配置されている。レシーバ１１は、薄型筐体１０の長手方向における一方の端部、すなわち、上端部に配置され、マイクロホン１３及び操作キー１４ａ〜１４ｃは、他方の端部、すなわち、下端部に配置されている。
【００１４】
タッチパネル１２は、文字や画像からなる各種情報を表示画面に表示する表示装置と、表示画面に対するタッチ操作を検出する操作検出装置により構成される。レシーバ１１は、受話音を出力するための音声出力装置である。マイクロホン１３は、送話音を入力するための音声入力装置である。
【００１５】
操作キー１４ａ〜１４ｃは、いずれも押下型の接点式スイッチからなり、各種機能が割り当てられる。例えば、操作キー１４ａは、前の画面に戻るためのリターンキーである。また、操作キー１４ｂは、ホーム画面を表示するためのホームキーである。また、操作キー１４ｃは、メニュー画面を表示するためのメニューキーである。
【００１６】
図２は、図１の情報表示端末１内の機能構成の一例を示したブロック図である。この情報表示端末１は、主制御部１００、セルラー通信部１０１、操作部１０２、表示制御部１０３、音声処理部１０４及びメモリ１０５により構成される。
【００１７】
主制御部１００は、通話制御などの主要な制御を行う。セルラー通信部１０１は、移動体電話回線網に接続し、セルラー基地局を介して相手先端末と通信する無線通信部である。操作部１０２は、タッチパネル１２及び操作キー１４ａ〜１４ｃからの検出信号に基づいて、ユーザ操作に応じた操作信号を生成し、主制御部１００へ出力する。
【００１８】
表示制御部１０３は、タッチパネル１２の表示制御を行う。音声処理部１０４は、マイクロホン１３により集音された音声信号を増幅し、デジタルデータに変換して主制御部１００へ出力する一方、主制御部１００から出力された音声データをアナログ信号に変換して駆動信号を生成し、レシーバ１１へ出力する。メモリ１０５には、主制御部１００が上述した処理を実行するための制御プログラム、各種のアプリケーションプログラム、コンテンツなどが保持される。
【００１９】
＜主制御部１００＞
図３は、図２の主制御部１００の構成例を示したブロック図である。この主制御部１００は、コンテンツ記憶部１１０、コンテンツ指定部１１１、コンテンツ表示部１１２、表示倍率記憶部１１３、表示倍率変更部１１４、基準表示サイズ算出部１１５、基準表示サイズ記憶部１１６及び表示倍率自動調整部１１７により構成される。
【００２０】
コンテンツ記憶部１１０には、２以上のコンテンツ２が保持される。コンテンツ２には、２以上の文字と、文字ごとに文字サイズを指定する文字サイズ情報と、文字ごとにフォント種別、配置などを指定する書式情報とが含まれる。各文字は、文字コードによって識別される。
【００２１】
コンテンツ指定部１１１は、操作部１０２から操作信号が入力され、ユーザ操作に基づいて、画面表示のためのコンテンツを指定する。具体的には、コンテンツ記憶部１１０内に保持されているコンテンツ２の中から、ユーザが表示対象として選択したコンテンツが指定される。表示倍率記憶部１１３には、表示倍率が保持される。表示倍率は、コンテンツ２ごとに、含まれる文字や文字サイズが異なることから、コンテンツ２ごとに異なるパラメータである。
【００２２】
コンテンツ表示部１１２は、コンテンツ指定部１１１により指定されたコンテンツ２をコンテンツ記憶部１１０から読み出し、表示倍率記憶部１１３が保持する表示倍率に基づいて、コンテンツ２を画面表示するための画面データを生成し、表示制御部１０３へ出力する。表示倍率変更部１１４は、操作部１０２から操作信号が入力され、ユーザ操作に基づいて、表示倍率を変更し、表示倍率記憶部１１３内の表示倍率を更新する。コンテンツ表示部１１２は、コンテンツ２の表示中に、表示倍率が変更されれば、変更後の表示倍率に基づいて、コンテンツ２の画面表示を更新する。
【００２３】
基準表示サイズ算出部１１５は、表示倍率変更部１１４による変更後の表示倍率に基づいて、２以上の文字の表示サイズを算出し、算出した２以上の表示サイズに基づいて、文字表示のための基準表示サイズを求める。表示サイズは、文字サイズ及び表示倍率の乗算により算出される。基準表示サイズ記憶部１１６には、基準表示サイズが保持される。
【００２４】
基準表示サイズは、コンテンツ指定部１１１により指定されたコンテンツ２に含まれている文字を母集団として、統計的手法により求められる表示サイズの代表値である。例えば、基準表示サイズ算出部１１５は、表示サイズの平均値を基準表示サイズとして求める。具体的には、コンテンツ２が文字Ｍ１〜Ｍｎを含み、各文字の文字サイズがＭＳ１〜ＭＳｎである場合、各文字の表示サイズＨ１〜Ｈｎは、表示倍率ＨＢを用いて、Ｈｉ＝ＭＳｉ×ＨＢ（ｉ＝１〜ｎ、ｎは２以上の整数）により求められる。また、基準表示サイズＫＨは、表示サイズＨ１〜Ｈｎの算術平均により求められる。すなわち、ＫＨ＝（Ｈ１＋Ｈ２＋・・・＋Ｈｎ）／ｎである。この基準表示サイズＫＨは、コンテンツ２に文字コードとして含まれている全ての文字についての平均値である。
【００２５】
なお、基準表示サイズＫＨは、母集団の分布の特徴を代表的に表すパラメータであれば、平均値でなくても良い。例えば、表示サイズの最頻値又は中央値を基準表示サイズＫＨとするような構成であっても良い。最頻値は、表示サイズごとの文字数からなる度数分布に対し、最も高い度数の表示サイズから求められる。中央値は、表示サイズを昇順又は降順に並べた際の中央位置の表示サイズから求められる。
【００２６】
表示倍率自動調整部１１７は、コンテンツ指定部１１１により新たにコンテンツ２が指定された場合に、基準表示サイズ記憶部１１６が保持する基準表示サイズＫＨ１に基づいて、表示倍率を変更し、表示倍率記憶部１１３を更新する。基準表示サイズ算出部１１５では、コンテンツ指定部１１１により新たにコンテンツ２が指定されれば、当該新たに指定されたコンテンツ２について、基準表示サイズＫＨ２が求められる。すなわち、基準表示サイズ算出部１１５は、表示倍率記憶部１１３が保持する表示倍率に基づいて、新たに指定されたコンテンツ２に含まれている２以上の文字の表示サイズを算出し、算出した２以上の表示サイズに基づいて、基準表示サイズＫＨ２を求める。
【００２７】
表示倍率自動調整部１１７は、コンテンツ指定部１１１により新たにコンテンツ２が指定されれば、当該新たに指定されたコンテンツ２について求められた基準表示サイズＫＨ２と、基準表示サイズ記憶部１１６に保持されている基準表示サイズＫＨ１とを比較する。そして、表示倍率自動調整部１１７は、基準表示サイズＫＨ２が基準表示サイズＫＨ１と一致するように、表示倍率を指定する。
【００２８】
具体的には、基準表示サイズＫＨ２と基準表示サイズＫＨ１との差分ΔＫＨに応じて、表示倍率を変化させる。例えば、基準表示サイズＫＨ２が基準表示サイズＫＨ１よりも大きければ、表示倍率を低くする。一方、基準表示サイズＫＨ２が基準表示サイズＫＨ１よりも小さい場合には、表示倍率を高くする。そして、変更後の表示倍率を用いて基準表示サイズＫＨ２を計算し直し、差分ΔＫＨが一定レベル以下になるまで、差分ΔＫＨに応じて表示倍率を変更することを繰り返す。コンテンツ表示部１１２は、コンテンツ指定部１１１により新たに指定されたコンテンツ２をコンテンツ記憶部１１０から読み出し、表示倍率記憶部１１３が保持する表示倍率に基づいて、画面データを生成する。
【００２９】
図４は、従来の携帯電話機がコンテンツ２を画面表示する場合の動作を比較例として示した図である。図中の（ａ）には、コンテンツ表示領域３２内に表示されたウェブコンテンツが示され、（ｂ）には、ウェブコンテンツの表示倍率を拡大した場合が示され、（ｃ）には、表示倍率の変更後、異なるウェブコンテンツを表示した場合が示されている。
【００３０】
図５は、図２の情報表示端末１がコンテンツを画面表示する場合の動作の一例を示した図である。図中の（ａ）には、コンテンツ表示領域３２内に表示されたウェブコンテンツが示され、（ｂ）には、ウェブコンテンツの表示倍率を拡大した場合が示され、（ｃ）には、表示倍率の変更後、異なるウェブコンテンツを表示した場合が示されている。図５の（ａ）及び（ｂ）には、図４の（ａ）及び（ｂ）と同様の状態が示されている。
【００３１】
タッチパネル１２の表示画面には、電波の受信状態、現在時刻、内蔵電池の電池残量などを絵文字（ピクトグラム）によって表示するピクト表示領域３１と、コンテンツ２を表示するコンテンツ表示領域３２とが設けられている。コンテンツ表示領域３２は、制御プログラムやアプリケーションプログラムがコンテンツ２を表示するのに使用する領域であり、プログラムごとに予め定められる。
【００３２】
ウェブコンテンツは、ウェブサイトにアクセスし、ウェブサイトを提供するサーバー装置からコンテンツ情報をダウンロードすることによって取得され、様々な文字サイズが指定された多数の文字と、図形などの画像とで構成されている。
【００３３】
図４及び図５の（ａ）では、天気予報のウェブサイトから取得したウェブコンテンツが表示され、全国の天気概況を示す文字列や各地方の週間天気を示す図形がコンテンツ内に配置されている。
【００３４】
（ａ）に示す状態において、表示倍率を高くする操作を行えば、コンテンツ全体が拡大し、情報表示端末１は、（ｂ）の状態へ移行する。例えば、タッチパネル１２に接触させた２本の指を広げるタッチ操作、いわゆるピンチアウト操作を行うことにより、表示倍率を高くすることができる。（ａ）では、文字の表示サイズが小さすぎてコンテンツ内容が識別しづらい箇所があるのに対し、（ｂ）では、文字の表示サイズが大きく、コンテンツ内容を容易に識別することができる。
【００３５】
図４及び図５の（ｂ）に示す状態において、リンク先として指定されているウェブサイトを選択すれば、当該ウェブサイトから取得した新たなウェブコンテンツがコンテンツ表示領域３２内に表示され、情報表示端末１は、（ｃ）の状態へ移行する。図４及び図５のの（ｃ）では、近畿地方の天気概況を示す文字列、近畿地方の各地の週間天気を示す図形がコンテンツ内に配置されている。この例では、表示倍率の変更時のウェブコンテンツと、新たに表示されたウェブコンテンツとが、同一のブラウザにより表示される異なるコンテンツである。
【００３６】
図４の（ｃ）に示すように、従来の携帯電話機では、あるコンテンツの表示倍率を変更した後、コンテンツを新たに画面表示すれば、当該コンテンツにはデフォルト倍率として予め定められた表示倍率が適用される。このため、文字の表示サイズを調整したにもかかわらず、新たに表示されるコンテンツでは、文字の表示サイズが意図するサイズと異なり、コンテンツ内容が識別しづらい状態に戻ってしまうという問題があった。
【００３７】
これに対し、図５の（ｃ）に示すように、本実施の形態による情報表示端末１では、ユーザが表示倍率を変更すれば、変更後の表示倍率を用いて表示サイズの平均値が基準表示サイズとして求められる。そして、情報表示端末１は、新たにコンテンツを表示する場合に、当該コンテンツの表示倍率を基準表示サイズに応じて自動調整する。このため、新たに表示されるコンテンツにおいても、文字の表示サイズが意図するサイズと一致し、コンテンツ内容が識別し易い状態を継続させることができる。
【００３８】
図６は、図２の情報表示端末１におけるコンテンツ表示時の動作の他の一例を示した図である。図中の（ａ）には、コンテンツ表示領域３２内に表示されたメニューコンテンツが示され、（ｂ）には、メニューコンテンツの表示倍率を拡大した場合が示され、（ｃ）には、表示倍率の変更後、ウェブコンテンツを表示した場合が示されている。
【００３９】
このメニューコンテンツは、画面表示に関する動作パラメータを指定するための２以上の設定項目からなる。図中の（ａ）では、スウィープ点灯設定、バックライト点灯時間設定、ブライトキープ設定、画質設定、画面の自動回転設定がメニューコンテンツとして表示されている。スウィープ点灯設定は、バックライトの消灯時に、指をタッチパネル１２上で滑らせるスウィープ操作を行うことにより、バックライトを点灯させる機能を設定するための項目である。バックライト点灯時間設定は、無操作状態のときに、バックライトを消灯させるまでの時間を設定するための項目である。
【００４０】
ブライトキープ設定は、端末が手で保持されていることをセンサーにより検出し、バックライトの点灯状態を維持する機能を設定するための項目である。画質設定は、表示画面の画質を設定するための項目である。画面の自動回転機能は、端末の姿勢をセンサーにより検出し、表示画面に対するコンテンツの回転角度を自動調整する機能を設定するための項目である。
【００４１】
（ａ）に示す状態において、表示倍率を高くする操作を行えば、コンテンツ全体が拡大し、情報表示端末１は、（ｂ）の状態へ移行する。（ａ）では、文字の表示サイズが小さすぎてコンテンツ内容が識別しづらい箇所があるのに対し、（ｂ）では、文字の表示サイズが大きく、コンテンツ内容を容易に識別することができる。
【００４２】
（ｂ）に示す状態において、ブラウザを起動させれば、所定のウェブサイトから取得したウェブコンテンツがコンテンツ表示領域３２内に表示され、情報表示端末１は、（ｃ）の状態へ移行する。図中の（ｃ）では、天気予報のウェブサイトから取得したウェブコンテンツが表示され、全国の天気概況を示す文字列や各地方の週間天気を示す図形がコンテンツ内に配置されている。この例では、表示倍率の変更時のメニューコンテンツと、新たに表示されたウェブコンテンツとが、異なるアプリケーションプログラムにより表示される異なるコンテンツである。
【００４３】
（ｃ）に示すように、本実施の形態による情報表示端末１では、ユーザが表示倍率を変更すれば、変更後の表示倍率を用いて基準表示サイズが求められ、新たにコンテンツを表示する場合に、当該コンテンツの表示倍率が基準表示サイズに応じて自動調整される。このため、新たに表示されるコンテンツにおいても、文字の表示サイズが意図するサイズと一致し、コンテンツ内容が識別し易い状態を継続させることができる。
【００４４】
図７のステップＳ１０１〜Ｓ１１０は、図２の情報表示端末１におけるコンテンツ表示時の動作の一例を示したフローチャートである。まず、主制御部１００は、ユーザが表示対象として選択したコンテンツを新たに指定し、基準表示サイズが保存されているか否かを確認する（ステップＳ１０１，Ｓ１０２）。
【００４５】
主制御部１００は、基準表示サイズが基準表示サイズ記憶部１１６内に保存されていれば、新たに指定した上記コンテンツについて基準表示サイズを求め、両基準表示サイズを比較し、その比較結果に基づいて、表示倍率を自動調整する（ステップＳ１０３，Ｓ１０４）。主制御部１００は、自動調整後の表示倍率に基づいて、コンテンツを画面表示する（ステップＳ１０５）。一方、主制御部１００は、基準表示サイズが保存されていない場合、ステップＳ１０５へ移行し、表示倍率記憶部１１３が保持する表示倍率に基づいて、新たに指定した上記コンテンツを画面表示する。
【００４６】
次に、主制御部１００は、ユーザにより表示倍率を変更する操作が行われれば、変更後の表示倍率に基づいて基準表示サイズを算出し、基準表示サイズ記憶部１１６を更新する（ステップＳ１０６〜Ｓ１０８）。次に、主制御部１００は、ユーザが表示対象として新たにコンテンツを選択すれば、当該コンテンツを新たに指定し、ステップＳ１０２以降の処理手順を繰り返す（ステップＳ１０９）。主制御部１００は、ユーザによりコンテンツの表示を終了させる操作が行われるまで、ステップＳ１０６以降の処理手順を繰り返し、表示終了の操作が行われれば、この処理を終了する（ステップＳ１１０）。
【００４７】
本実施の形態による情報表示端末１では、表示倍率の変更後、コンテンツを新たに表示する場合に、表示倍率が基準表示サイズに応じて自動調整される。このため、新たに表示されるコンテンツについて、文字の表示サイズをユーザが表示倍率を指定したコンテンツに合わせることができる。
【００４８】
なお、本実施の形態では、コンテンツ２に含まれる全ての文字に対する表示サイズの平均値が基準表示サイズとして求められる場合の例について説明したが、本発明は、基準表示サイズの算出方法をこれに限定するものではない。例えば、コンテンツ２を所定の表示倍率でコンテンツ表示領域３２内に表示した際に、コンテンツ２の一部がコンテンツ表示領域３２からはみ出す場合は、コンテンツ表示領域３２内に表示されている文字について、表示サイズを算出し、その平均値を基準表示サイズとするような構成であっても良い。この様に、コンテンツ表示領域３２内に表示されている文字に制限して基準表示サイズを求めることにより、計算量を抑制することができるとともに、コンテンツ表示領域３２内に表示されていない文字によって基準表示サイズにばらつきが生じるのを防止することができる。
【００４９】
また、本実施の形態では、新たに指定されたコンテンツ２について求められる基準表示サイズＫＨ２が基準表示サイズ記憶部１１６に保持されている基準表示サイズＫＨ１と一致するように、表示倍率が指定される場合の例について説明したが、本発明は、表示倍率の自動調整方法をこれに限定するものではない。例えば、基準表示サイズＫＨ２と基準表示サイズＫＨ１との差分ΔＫＨにかかわらず、表示倍率を一定量だけ変化させるような構成であっても良い。
【００５０】
また、本実施の形態では、コンテンツ記憶部１１０内に保持されているコンテンツ２を画面表示する際に、表示倍率が自動調整される場合の例について説明した。コンテンツ２を他の端末装置へ転送する場合に、コンテンツ２とともに基準表示サイズを送信することにより、他の端末装置においても、表示倍率を基準表示サイズに応じて自動調整し、コンテンツの視認性を向上させることができる。
【００５１】
また、本実施の形態では、情報表示端末１が電話機能を備えた携帯電話機である場合の例について説明したが、本発明は、情報表示端末１の構成をこれに限定するものではない。例えば、タブレット端末のように、電話機能を備えない端末装置にも本発明は適用することができる。
【００５２】
本発明の実施の形態による情報表示端末１の構成と対応する作用効果とを以下に整理してまとめる。
第１の本発明による情報表示端末１は、ユーザ操作に基づいて、２以上の文字を含むコンテンツ２を指定するコンテンツ指定部１１１と、表示倍率を保持する表示倍率記憶部１１３と、表示倍率に基づいて、コンテンツ指定部１１１により指定されたコンテンツ２を画面表示するコンテンツ表示部１１２と、ユーザ操作に基づいて、表示倍率を変更する表示倍率変更部１１４と、変更後の表示倍率に基づいて、２以上の文字の表示サイズを算出し、算出した２以上の表示サイズに基づいて、文字表示のための基準表示サイズを求める基準表示サイズ算出部１１５と、基準表示サイズを保持する基準表示サイズ記憶部１１６と、コンテンツ指定部１１１により新たにコンテンツ２が指定された場合に、基準表示サイズに基づいて、表示倍率を変更する表示倍率自動調整部１１７とを備えて構成される。この様な構成によれば、表示倍率の変更後、コンテンツ２を新たに表示する場合に、表示倍率が基準表示サイズに応じて自動調整されるので、新たに表示されるコンテンツ２について、文字の表示サイズをユーザが表示倍率を指定したコンテンツ２に合わせることができる。
【００５３】
第２の本発明による情報表示端末１は、上記構成に加え、表示倍率自動調整部１１７が、コンテンツ指定部１１１により新たに指定されたコンテンツ２について求められる基準表示サイズが、基準表示サイズ記憶部１１６に保持されている基準表示サイズと一致するように、表示倍率を指定するように構成される。この様な構成によれば、新たに表示されるコンテンツ２について、基準表示サイズをユーザが表示倍率を指定したコンテンツ２に一致させることができる。
【００５４】
第３の本発明による情報表示端末１は、上記構成に加え、コンテンツ２には、文字ごとに文字サイズを指定する文字サイズ情報が含まれ、基準表示サイズ算出部１１５が、文字サイズ及び表示倍率に基づいて、２以上の表示サイズを算出し、算出した表示サイズの平均値を基準表示サイズとして求めるように構成される。この様な構成によれば、新たに表示されるコンテンツ２について、文字の平均的な表示サイズをユーザが表示倍率を指定したコンテンツ２に一致させることができる。
【００５５】
第４の本発明による情報表示端末１は、上記構成に加え、表示倍率の変更時のコンテンツ２と、コンテンツ指定部１１１により新たに指定されるコンテンツ２とは、同一のアプリケーションプログラムにより表示される異なるコンテンツであるように構成される。この様な構成によれば、同一のアプリケーションプログラムによってコンテンツを順次に画面表示する場合に、表示倍率を自動調整させ、コンテンツの視認性を向上させることができる。
【００５６】
第５の本発明による情報表示端末１は、上記構成に加え、表示倍率の変更時のコンテンツ２と、コンテンツ指定部１１１により新たに指定されるコンテンツ２とは、異なるアプリケーションプログラムにより表示される異なるコンテンツであるように構成される。この様な構成によれば、異なるアプリケーションプログラムによってコンテンツを順次に画面表示する場合に、表示倍率を自動調整させ、コンテンツの視認性を向上させることができる。
【符号の説明】
【００５７】
１  情報表示端末
１０  薄型筐体
１１  受話用のレシーバ
１２  タッチパネル
１３  送話用のマイクロホン
１４ａ〜１４ｃ  操作キー
１００  主制御部
１０１  セルラー通信部
１０２  操作部
１０３  表示制御部
１０４  音声処理部
１０５  メモリ
１１０  コンテンツ記憶部
１１１  コンテンツ指定部
１１２  コンテンツ表示部
１１３  表示倍率記憶部
１１４  表示倍率変更部
１１５  基準表示サイズ算出部
１１６  基準表示サイズ記憶部
１１７  表示倍率自動調整部
２  コンテンツ
３１  ピクト表示領域
３２  コンテンツ表示領域
【図１】
2015114935.tif 000003
【図２】
2015114935.tif 000004
【図３】
2015114935.tif 000005
【図４】
2015114935.tif 000006
【図５】
2015114935.tif 000007
【図６】
2015114935.tif 000008
【図７】
2015114935.tif 000009